Podtech/llm-jp-corpus-v4-ja_patent huggingface dataset:
(57)【要約】【課題】    本考案は展示品・対象物の情報を該当物・パンフレットガイドブック・美術書等を見ながらガイド等がいなくても、また解説書等がなくても携帯電話等に情報をダウンロードロードして分かる言語で知ることが出来る。【解決手段】    本考案は展示品・対象物１に情報提供先アドレスを各国語ごとにバーコード化したものと手入力用の番号２を添付し、携帯電話等３にてアクセスして情報を携帯電話等３にダウンロード出来るサービスを提供することで情報を聞きながら展示品・対象物・パンフレット・ガイドブック・美術書等を鑑賞する事が出来る。【選択図】    図１
2006203836.tif 000002
【特許請求の範囲】
【請求項１】
美術館、博物館、遺跡、史跡、名所、旧跡、博覧会の展示品、風景等を携帯電話等を通じて音声にて案内、説明、解説する音声ガイドサービス事業
【発明の詳細な説明】
【発明の詳細な説明】
【技術分野】
【０００１】  本考案は、展示品・該当物の案内、説明、解説を携帯電話等にダウンロードできるアクセス先を対象物・パンフレットガイドブック・美術書等に添付し、カメラ付携帯電話の場合はバーコードにかざしてアクセスするか、カメラのついていない携帯電話等はアドレスを入力してアクセスし、情報を携帯電話等にダウンロードさせて音声による対象物情報をユーザーに提供するガイドサービス事業に関するものである。
【背景技術】
【０００２】  展示品・対象物の鑑賞はガイドが同行して説明するか、美術館等の録音テープを借りて説明を聞くか、個人で事前に情報を確認して覚えておくか、ガイドブックを見ながら鑑賞する方法しかなかった。
【発明が解決しようとする課題】
【０００３】  展示品・対象物個々の情報を知る方法は会場で提供している録音テープを借りるか、ガイドが同伴して説明するか、設置されている案内板をみるか、個人でガイドブックを見ながら鑑賞するしかなく、また説明はメーン展示品・対象物に偏ることが多い。さらに、録音テープを借りる煩雑な手間や、外国での個人鑑賞の場合は言葉がわからないことが有り、個人でガイドを雇う経済的負担も大きい。従って、携帯電話等に全展示品・対象物の情報を言語ごとに提供する事は鑑賞者の知りたい展示品・対象物を選択出来る機会を与え、自身の携帯電話等に情報をダウンロードして母国語での情報を聞きながらの鑑賞が可能になり前述の欠点を解決しようとするものである。
【課題を解決するための手段】
【０００４】  展示品・対象物個々とパンフレット・ガイドブック・美術書等に各国語ごとの情報提供先アドレスをバーコードで作成したものとアクセス先番号を添付する。ユーザーは携帯電話等にバーコードを写しアクセスするかアドレスを入力してアクセスし、該当展示品の情報を自信の携帯電話等にダウンロードして音声で聞く。情報提供元は作品・対象物の情報を各国語で録音・作成しておきアクセスして来たユーザーに情報を送信することにより問題点を解決している。
【発明を実施するための最良の形態】
【０００５】  情報提供先アドレスをバーコード化したものと手入力用のアドレス番号を各国語ごとに作成して展示品・対象物脇に添付、またパンフレット・ガイドブック・美術書等に添付、ユーザーがその場でアクセスして自信の携帯電話等にダウンロード出来るようにする。情報提供元は展示品・対象物の情報を各国語ごとに録音して置きアクセスがあればユーザーが選択した対象物・言語で情報をアクセス者携帯電話等に配信する。
【実施例】
【０００６】  以下、添付図面に従って一実施例を説明する。１はユーザーが情報を知りたい展示品・対象物、２は展示品・対象物の各国語ごとの情報の提供先のアドレスをバーコード化したものと手入力用番号を該当物脇に添付した状態である。３はカメラ付携帯電話で聞きたい言語のアドレスをバーコードより写しこんだ状態、３ａは携帯電話に聞きたい言語のアドレスを手入力した状態、４は携帯電話に該当品の情報をダウンロードして情報を聞きながら対象物を鑑賞している状況場面である。
【発明の効果】
上述の様に、本考案の音声作品ガイドサービスは携帯電話等を通じて鑑賞者に音声にて全展示品・対象物の情報をその場で提供し、鑑賞者の知りたい要求を満たしてあげる事が出来ることは勿論、言語別に情報を提供する事で言葉の壁を排除することが出来る。
【図面の簡単な説明】
【図１】  本考案の音声作品ガイドアクセス先バーコードとアドレス番号を展示品脇に添付した正面図である。
【図２】  本考案の音声作品ガイドサービス先アドレスバーコードをカメラ付携帯電話に写しこんでいる実施例正面図である。
【図３】  本考案の音声作品ガイドサービス先アドレス番号を携帯電話に入力している実施例の正面図である。
【図４】  本考案の音声作品ガイドを携帯電話で聞きながら対象物を鑑賞している横面図である。
【符号の説明】
１展示物・対象物
２アドレス番号
３携帯電話
【図１】
2006203836.tif 000003
【図２】
2006203836.tif 000004
【図３】
2006203836.tif 000005
【図４】
2006203836.tif 000006
(57)【要約】【課題】携帯電話機を持ち歩くとき、携帯電話機全体のコ−ナ−が丸みを帯びている為すべり易く、ポケットやバックから抜け落ち、損傷や紛失する。【解決手段】携帯電話機１に脱落防止ピン２を設ける、脱落防止ピン２は例えば、携帯電話機の上部より高くした皺防止形状３の脱落防止ピン２である。【選択図】図１
2006203838.tif 000002
【特許請求の範囲】
【請求項１】
携帯電話機の上部に、脱落防止ピンを設けたことを特徴とする携帯電話機。
【請求項２】
前記脱落防止ピンは、電話機の上部に設け高くしたことを特徴とする請求項１記載の携帯電話機。
【発明の詳細な説明】
【技術分野】
【０００１】  この発明は、全世界の大衆が使用する、携帯電話機の形状に関する。
【背景技術】
【０００２】  従来の携帯電話機の形状は、全体のコ−ナが丸みを帯びている為、滑り易いものである。
【発明の開示】
【発明が解決しようとする課題】
【０００３】  しかしながら、以上の技術によれば、携帯電話機がポケットから抜け落ち易く、特に胸のポケットに入れて、腰を曲げての作業時には、抜け落ちた。
そこで、この発明は、携帯電話機が抜け落ちにくく作業が行い易い携帯電話機を提供することを課題とする。
【課題を解決するための手段】
【０００４】  以上の課題を解決するために、第一発明は、携帯電話機の上部に、脱落防止ピンを設けたことを特徴とする携帯電話機である。
また、第二発明は、携帯電話機上部に脱落防止ピンを設け、この脱落防止ピンは携帯電話機の上部より高くした、皺防止の形状であることを特徴とする携帯電話機である。
【発明の効果】
【０００５】  第一発明、または第二発明によれば携帯電話機の上部に、脱落防止ピンを設けたので携帯電話機を胸ポケットに挟み、腰を曲げての作業でも落ちない。
また、胸ポケットの皺も無く見栄えも良い、さらに波及効果としてバック等の縁に挟んでおくことにより、底に埋もれることなく取り出し易い。
【発明を実施するための最良の形態】
【０００６】  この発明の一実施形態を、図面１に示す。
携帯電話機１の本体には、上部に脱落防止ピン２が設けられている。そして携帯電話機の上部より高くした皺防止の形状３である。【０００７】「実施形態の効果」
この実施形態によれば、携帯電話機１の脱落防止ピン２の働きで、胸のポケットに挟み、腰を曲げての作業でも（自作改造三カ月実施）一度も抜け落ちない。
したがって  作業も行い易く、胸ポケットの皺も無く、見栄えも良く、万年筆感覚で使用でき、ファッションにもなる。または、携帯電話機１の脱落防止ピン２をバックの縁に挟んで、使用でき大変便利である。【０００８】「他の実施形態」
図１の実施形態では、脱落防止ピン２であったが、他の実施形態では、紙挟みの様な形態のものでも良い。
【図面の簡単な説明】
【０００９】
【図１】この発明の一実施形態を示す斜視図である。
【図２】従来技術を示す斜視図である。
【符号の説明】
１  携帯電話機            ２  脱落防止ピン
３  皺防止形状（ピン）
【図１】
2006203838.tif 000003
【図２】
2006203838.tif 000004
(57)【要約】【課題】  配電盤の外部から水平母線への人の接近性を向上させ、接続部の接続作業や点検作業を容易にすることができる配電盤を提供する。  【解決手段】  盤の筐体２と、筐体２に碍子取付板１５及び水平母線固定用碍子１６を介して取付けられた水平母線１４と、水平母線１４に接続される変流器１８と、水平母線１４及び変流器１８とを接続する接続導体１７を備えた配電盤１において、変流器１８は、水平母線１４の経路途中に接続され、かつ、水平母線固定用碍子１６の取付面と同じ側に取付けられた状態で、水平母線１４と同じ水平方向に配置する。【選択図】    図１
2006203992.tif 000002
【特許請求の範囲】
【請求項１】
盤の筐体と、前記筐体に碍子取付板及び水平母線固定用碍子を介して取付けられた水平母線と、前記水平母線に接続される変流器と、前記水平母線及び変流器とを接続する接続導体を備えた配電盤において、
前記変流器は、水平母線の経路途中に接続され、かつ、水平母線固定用碍子の取付面と同じ側に取付けられた状態で、前記水平母線と同じ水平方向に配置されていることを特徴とする配電盤。
【請求項２】
前記変流器と水平母線固定用碍子と碍子取付板が、前記水平母線に対して前面側もしくは背面側にまとめて配置されていることを特徴とする請求項１記載の配電盤。
【発明の詳細な説明】
【技術分野】
【０００１】
本発明は、水平母線と、前記水平母線に接続される変流器と、前記水平母線と変流器を接続する接続導体とを有する配電盤に関するものである。
【背景技術】
【０００２】
複数の配電盤を据え付ける際、配電盤どおしの間で水平母線（主母線）どおしの接続作業を行っている（例えば、特許文献１）。
図３は、従来の配電盤の側断面図、図４は図３のＣ−Ｃ線方向から見た断面図である。
図３及び図４において、１は配電盤、２は前記配電盤１の筐体、３は前記筐体２に開閉自在に取付けられた前面扉、４は同じく前記筐体２に開閉自在に取付けられた背面扉、５,６,７は前記筐体２の内部に取付けられた仕切板で、配電盤の内部を、負荷母線室８、電源母線室９、遮断器室１０等に仕切っている。１１は前記負荷母線室８内に配置された保護カバーで、１２は外部接続端子である。１３は前記遮断器室１０内に配置された遮断器である。前記電源母線室９には、水平母線１４が配置されている。前記水平母線１４は、前記仕切板７の背面側の部分に取付けられた碍子取付板１５に設けられた水平母線固定用碍子１６に固定されている。また、前記水平母線１４は、水平方向に配置され、紙面に直角方向に延長して、並列配置された複数の配電盤（図示せず）に接続される。
また、前記水平母線１４は、接続導体１７を介して変流器１８に接続されている。前記変流器１８は、水平母線１４をはさんで、前記水平母線固定用碍子１６及び碍子取付板１５の対向面側に垂直方向に配置され、前記筐体２に取付けられた変流器取付板１９に固定されている。なお、前記変流器取付板１９は、配電盤１の幅方向に、配電盤を横断するようにして配置されている。
このように、従来の配電盤１は、変流器１８を、水平母線１４をはさんで水平母線固定用碍子１６の取付面と対向した面に垂直方向に配置された状態で、接続導体１７により水平母線１４に接続するようにしている。
【特許文献１】特開２００１−１７７９３１号公報
【発明の開示】
【発明が解決しようとする課題】
【０００３】
しかしながら、従来の配電盤は、水平母線の前面側は、変流器および変流器取付板でふさがれ、背面側は、碍子取付板でふさがれる状態となっているため、配電盤前面または背面側外部からの水平母線への人の接近がしにくく、水平母線接続部の接続作業や点検作業等の障害になるという問題があった。
本発明は、このような問題点に鑑みてなされたもので、盤外部から水平母線への人の接近性を向上させ、接続部の接続作業や点検作業等を容易にすることができる配電盤を提供することを目的とする。
【課題を解決するための手段】
【０００４】
上記問題を解決するため、本発明は、次のように構成したものである。
請求項１に記載の発明は、盤の筐体と、前記筐体に碍子取付板及び水平母線固定用碍子を介して取付けられた水平母線と、前記水平母線に接続される変流器と、前記水平母線及び変流器とを接続する接続導体を備えた配電盤において、前記変流器は、水平母線の経路途中に接続され、かつ、水平母線固定用碍子の取付面と同じ側に取付けられた状態で、前記水平母線と同じ水平方向に配置されるものである。
請求項２に記載の発明は、前記変流器と水平母線固定用碍子と碍子取付板が、前記水平母線に対して前面側もしくは背面側にまとめて配置されるものである。
【発明の効果】
【０００５】
請求項１及び２に記載の発明によると、配電盤前面または背面からの水平母線への接近性が向上し、水平母線及び変流器の接続作業や点検作業等を容易に行うことができる。
【発明を実施するための最良の形態】
【０００６】
以下、本発明の実施例を図に基づいて説明する。
【実施例】
【０００７】
図１は、本発明の配電盤の側断面図、図２は図１のＡ−Ａ線方向から見た断面図である。
本発明の基本構成は、従来技術とほぼ同じであり、同一部分については説明を省略する。本発明が、従来技術と異なるところは，変流器１８が水平母線１４の経路途中に、水平
母線固定用碍子１６の取付面と同じ側に取付られた状態で、水平母線１４と同じ水平方向
に配置されている点と、変流器１８と水平母線固定用碍子１６が水平母線１４に対して前
面側もしくは背面側にまとめて配置されている点である。
以下、これらの点について説明する。
水平母線１４は、従来と同様に仕切板の背面部分に取付けられた碍子取付板１５に設けられた水平母線固定用碍子１６に固定されるが、変流器１８は、前記水平母線固定用碍子１６の対向面側ではなく、同じ側の前記仕切板に変流器取付板１９を介して取付けられて
いる。つまり、水平母線１４の背面側に、前記碍子取付板１５、水平母線固定用碍子１６、
及び変流器１８の全部が配置されている。水平母線１４と変流器１８は接続導体１７を介
して接続されている。
これにより、配電盤１の前面側または背面側からの水平母線１４への接近性を向上させ
ることができる。したがって、水平母線１４及び変流器１８の接続作業や点検作業等を容
易に行うことができる。
なお、前記実施例においては、前記碍子取付板１５、水平母線固定用碍子１６、及び変
流器１８を水平母線１４の背面側にまとめて配置したが、これに限ることなく、水平母線
１４の前面側にまとめて配置するようにしてもよい。
【図面の簡単な説明】
【０００８】
【図１】本発明の実施例における配電盤の側断面図
【図２】図１のＡ−Ａ線方向から見た断面図
【図３】従来技術における配電盤を示す側面図
【図４】図３のＣ−Ｃ線方向から見た断面図
【符号の説明】
【０００９】
１   配電盤
２   筐体
３   前面扉
４   背面扉
５,６,７   仕切板
８   負荷母線室
９   電源母線室
１０ 遮断器室
１１ 保護カバー
１２ 外部接続端子
１３ 遮断器
１４ 水平母線
１５ 碍子取付板
１６ 水平母線固定用碍子
１７ 接続導体
１８ 変流器
１９ 変流器取付板
【図１】
2006203992.tif 000003
【図２】
2006203992.tif 000004
【図３】
2006203992.tif 000005
【図４】
2006203992.tif 000006
(57)【要約】【課題】１つのプリント配線基板上に２種類の発振器に対応可能としたものに於いては、少量他品種の場合に適しているものの、２つの発振回路を構成するために必要な配線を必要とするためプリント配線基板の面積が大きくなって小型化の要求には応えられなかった。【解決手段】本発明は、プリント配線板に表面実装型部品を搭載することにより構成した発振回路であって、前記プリント基板には搭載する表面実装型部品によって２種類の異なる発振回路の何れかを選択的に構成できる配線パターンが形成されていることを特徴とするものである。【選択図】図１
2006203298.tif 000002
【特許請求の範囲】
【請求項１】
プリント配線板に表面実装型部品を搭載することにより構成した発振回路であって、前記プリント基板には搭載する表面実装型部品によって２種類の異なる発振回路の何れかを選択的に構成できる配線パターンが形成されていることを特徴とする発振回路。
【発明の詳細な説明】
【技術分野】
【０００１】
本発明は、発振回路、特に１つのプリント配線基板で２つの異なる発振回路を適宜選択して実現することが可能な発振回路に関するものである。
【背景技術】
【０００２】
水晶発振器は、通信機器等の分野で周波数信号源として広く用いられている。
発振回路には幾つかの種類があり、その用途によって適宜選択され使用している。
【０００３】
水晶発振器の低価格化のため、１枚のプリント配線基板の上に２種類の発振回路を構成するための配線パターンを用意しておき、客先の要求に応じて何れか一方の配線パターンに所定表面実装部品を搭載して発振回路を構成したものがある。
【０００４】
図２は従来の２種類対応発振回路用の回路図を示すものであり、図中左側は水晶振動子Ｙ１と温度補償回路Ｔ１と周波数調整回路Ｆ１とを直列に接続した共通回路部分であり、図中右側の下方に第１の発振回路ＯＳＣ１、図中右側の上方に第２の発振回路ＯＳＣ２がある。
第１の発振回路ＯＳＣ１は典型的なコルピッツ型発振回路であり、第２の発振回路ＯＳＣ２はトランジスタをカスコードに接続したカスコード型発振回路である。
【０００５】
【特許文献１】特開２００４−８０５２７号公報
【特許文献２】特開平０８−３４０２１６号公報
【発明の開示】
【発明が解決しようとする課題】
【０００６】
このような構成の発振器では１つのプリント配線基板を設計するだけで２種類の発振器に対応可能となるので、特に少量他品種の場合に適しているものの、２つの発振回路を構成するために必要な配線を必要とするためプリント配線基板の面積が大きくなって小型化の要求には応えられなかった。
【課題を解決するための手段】
【０００７】
本発明は、プリント配線板に表面実装型部品を搭載することにより構成した発振回路であって、前記プリント基板には搭載する表面実装型部品によって２種類の異なる発振回路の何れかを選択的に構成できる配線パターンが形成されていることを特徴とするものである。
【発明の効果】
【０００８】
本発明の発振回路は、１枚のプリント配線基板上に２つの発振回路を構成するに際して、配線パターンを共通化して、搭載する表面実装部品を変更するだけで２種類の発振回路を提供できるという利点がある。プリント配線基板上の配線パターンの専有面積を大幅に減らすことができるので発振器の小型化に大きく寄与する。
【発明を実施するための最良の形態】
【０００９】
以下、本発明を実施形態例に基づいて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１０】
図１は、本発明に係る発振回路の実施形態例を示す回路図であって、発振回路を構成する配線パターンは図２に示す従来の回路より大幅に少なくなっている。
構成部品のうち２つの符号（一方をアンダーラインで示した）が付された部品は、２種類の発振回路を構成するときに選択変更する部品である。
【００１１】
図中の各部品の右側(または上側)に記載された符号の部品を搭載したときに、図２の第１の発振回路ＯＳＣ１として、左側(または下側)に記載された符号（アンダーライン有り）の部品を搭載したときに、図２の第２の発振回路ＯＳＣ２として機能する。
尚、図1に於いて「０Ω」とは短絡を意味し、例えば０Ωのチップ抵抗を搭載するものであり、「ｏｐｅｎ」とは開放を意味し、例えばこの位置に部品を搭載しないことで実現する。
【００１２】
以上、本発明を２種類の発振回路の配線パターンを共通化するものを例示して説明してきたが、本発明は上記の実施例のみに限定されるものではなく、構成要素、種類、組み合わせ、形状などは適宜選択して構成することも可能である。
【図面の簡単な説明】
【００１３】
【図１】本発明に係る発振回路の実施形態例を示す回路図。
【図２】従来の発振回路の回路図。
【符号の説明】
【００１４】
ＯＳＣ１  第１の発振回路
ＯＳＣ２  第２の発振回路
【図１】
2006203298.tif 000003
【図２】
2006203298.tif 000004
(57)【要約】【課題】本発明は、発熱電子部品の放熱対策に用いられる放熱部品に関して、放熱効率をさらに高めることを目的とするものである。【解決手段】この目的を達成するために本発明は、熱伝導体からなる受熱部５と、一端が前記受熱部５に支持された複数のグラファイトシート８を備え、前記複数のグラファイトシート８の他端側を支持部７で支持し、前記複数のグラファイトシート８を所定の間隔をもった梯子型に並設させた構造としたのである。【選択図】図２
2006203017.tif 000002
【特許請求の範囲】
【請求項１】
熱伝導体からなる受熱部と、一端が前記受熱部に支持された複数のグラファイトシートを備え、前記複数のグラファイトシートの他端側を支持部で支持し、前記複数のグラファイトシートを所定の間隔をもった梯子型に並設させたことを特徴とする放熱部品。
【発明の詳細な説明】
【技術分野】
【０００１】
本発明は発熱電子部品の放熱対策に用いられる放熱部品に関する。
【背景技術】
【０００２】
一般にパソコンのＣＰＵなどの発熱電子部品はその温度上昇に伴いそれらを用いた電子機器に対して悪影響を及ぼしてしまうため、そのヒートシンクとして膨張黒鉛を所定形状に形成した膨張黒鉛成形体を用いていた。
【０００３】
なお、この出願の発明に関連する先行技術文献情報としては、例えば、特許文献１が知られている。
【特許文献１】特開２００２−８３９１３号公報
【発明の開示】
【発明が解決しようとする課題】
【０００４】
しかしながら、膨張黒鉛成形体は膨張黒鉛の粉体を用いて圧縮成形したものであるため加工後の強度が低くなり、放熱性の良い薄い構造を持った成形体が作り難いといった形状的な制約が生じてしまうため、放熱部品の放熱効率を高めることが困難なものとなっていた。
【０００５】
そこで、本発明は放熱部品の放熱効率をさらに高めることを目的とする。
【課題を解決するための手段】
【０００６】
そして、この目的を達成するために本発明は、熱伝導体からなる受熱部と、一端が受熱部に支持された複数のグラファイトシートを備え、複数のグラファイトシートの他端側を支持部で支持し、複数のグラファイトシートを所定の間隔をもった梯子型に並設させた構造としたのである。
【発明の効果】
【０００７】
この構成によれば、加工性に富み放熱部品の設計自由度が高くなることから、放熱部品の放熱効率をさらに高めることが出来るのである。
【発明を実施するための最良の形態】
【０００８】
以下、本発明の一実施形態について図を用いながら説明する。
【０００９】
図１はノート型パソコンのようにＣＰＵなどの発熱電子部品１を有する電子機器の内部構造を模式的に示したものであり、基本的な構造としては発熱電子部品１および各種電子部品２とともに発熱電子部品１の放熱対策として用いられる放熱部品３が配線基板４上に配置された状況を示している。
【００１０】
そして、放熱部品３は発熱電子部品１に当接され発熱電子部品１から生じる熱を直接的に受け取る為の熱導電性の高い金属からなる受熱部５と、この受熱部５で受けた熱を空間内に放出する放熱部６と、この放熱部６の一端を電子機器内において固定するための支持部７から形成されている。
【００１１】
また、放熱部６は図２に示されるように、受熱部５と支持部７との間において複数のグラファイトシート８を所定の間隔を持って梯子型に配置した構造であり、各グラファイトシート８はそれぞれ受熱部５と支持部７により撓まないように梯子型に維持されている。
【００１２】
なお、グラファイトシート８はポリイミド等の高分子樹脂シートを１２００度以上の温度で炭化させ、その後、２６００度以上の温度でグラファイト化し、図３に示されるように炭素が２次元的に密な結合した炭素層の多層構造体とし、炭素の結合面内において高い熱電導特性を示すものや、膨張黒鉛をシート状に成形したものや、グラファイトファイバーをシート状に成形したものなどが挙げられる。
【００１３】
そして、放熱部品３をこのような構造とすることにより、放熱部６を形成する梯子型に並設されたグラファイトシート８のそれぞれが薄いシート状であり、隣り合うグラファイトシート８間に空間が形成されていることから、各グラファイトシート８の放熱性が高く、従来の膨張黒鉛の成形体による放熱部品に比べて格段の放熱特性を確保できるのである。
【００１４】
また、グラファイトシート８はそれ自体が薄いシート状のものであり、シート形状の加工性についても切断加工や打ち抜き加工によって自在な形状を容易に形成できることから、これらを梯子型に配置した場合、図１に示されるように配線基板４上に配置された電子部品２の凹凸や電子機器内での空き空間に応じた形状と出来ることから、放熱部品３の放熱効率をより効率の高いものと出来るのである。
【００１５】
さらに、この放熱部品３は複数のグラファイトシート８を受熱部５と支持部７により支持した構造であり、膨張黒鉛を圧縮成形した従来の放熱部品に比べ極めて軽量化できる構造となっている。
【産業上の利用可能性】
【００１６】
本発明は、発熱電子部品の放熱対策に用いられる放熱部品に関し、放熱部品の放熱効率をさらに高められるという効果を有し、特に発熱電子部品を要する電子機器に有用である。
【図面の簡単な説明】
【００１７】
【図１】本発明の一実施形態における放熱部品を含む電子機器の内部構造の模式図
【図２】同放熱部品の上面図
【図３】同放熱部品を構成するグラファイトシートの構造を示す模式図
【符号の説明】
【００１８】
３  放熱部品
５  受熱部
７  支持部
８  グラファイトシート
【図１】
2006203017.tif 000003
【図２】
2006203017.tif 000004
【図３】
2006203017.tif 000005
(57)【要約】【課題】弱酸性の紙によって構成するとこにより、使用時に皮膚に与える刺激を緩和することがなく、また、皮膚に残留した皮脂による雑菌の繁殖を防止し、アレルギ症状やニキビ等の皮膚病の発生を予防する。【解決手段】抄紙工程前の紙化工程において、製造後にｐＨ５〜ＰＨ６の弱酸性となるように、紙料の酸性度を調整するようにした。あぶらとり紙の全体が均一に弱酸性となり、皮脂を除去する際皮膚に過度の刺激を与えることがない。また、皮膚に残留した皮脂が容易に弱アルカリ性に変質することがなく、雑菌の増殖が抑えられる。【選択図】図１
2006025849.tif 000002
【特許請求の範囲】
【請求項１】
ｐＨ５〜ｐＨ６の紙によって構成したことを特徴とするあぶらとり紙。
【請求項２】
前記紙は、抄紙前にｐＨ５〜ｐＨ６に調製されることを特徴とする請求項１に記載のあぶらとり紙。
【発明の詳細な説明】
【技術分野】
【０００１】
本発明は、顔の皮膚から皮脂等を除去する際に使用されるあぶらとり紙に関する。
【背景技術】
【０００２】
従来より、顔の皮膚から皮脂等を除去する際には、あぶらとり紙が使用されていた。あぶらとり紙には、その使用目的から吸脂性等の機能が要求されるため、素材となる紙は専ら使用時の機能を実現できることを条件に選択される。
【０００３】
このような吸脂性等の機能を向上する目的で、あぶらとり紙の素材となる紙の構造を考慮したものもある（例えば、特許文献１参照。）。
【０００４】
一方、紙は酸性であると耐久性に劣り、経時変化が著しく、長期間の保存に耐えない。そこで、一般に紙は、中性又はアルカリ性に調製して妙紙される。
【０００５】
このため、従来のあぶらとり紙も、中性又はアルカリ性に調製された紙を素材として構成されている。
【特許文献１】特開２００４−１４１２７９号公報
【発明の開示】
【発明が解決しようとする課題】
【０００６】
しかしながら、従来のあぶらとり紙は、ｐＨ６．５以上の中性又はアルカリ性に調製された紙を素材として構成されていたため、人間の皮膚がｐＨ５．２〜５．５程度であることから、使用時の接触によって刺激を与える場合があり、特に、所謂敏感肌に使用するとアレルギ症状を発症する可能性がある。また、皮脂は放置されると弱アルカリ性に変化し、あぶらとり紙を使用した後に皮膚に残留した皮脂によって雑菌が増殖し、ニキビ等の皮膚病の原因となる。
【０００７】
この発明の目的は、弱酸性の紙によって構成するとこにより、使用時に皮膚に与える刺激を緩和することがなく、また、皮膚に残留した皮脂による雑菌の繁殖を防止し、アレルギ症状やニキビ等の皮膚病の発生を予防できるあぶらとり紙を提供することにある。
【課題を解決するための手段】
【０００８】
この発明のあぶらとり紙は、上記の課題を解決するための手段として、以下の構成を備えたものである。
【０００９】
（１）ｐＨ５〜ｐＨ６の紙によって構成したことを特徴とする。
【００１０】
この構成においては、あぶらとり紙が、弱酸性紙によって構成される。したがって、皮膚から皮脂を除去する際に、人間の皮膚の状態に近い弱酸性の紙が皮膚に接触する。
【００１１】
（２）前記紙は、抄紙前にｐＨ５〜ｐＨ６に調製されることを特徴とする。
【００１２】
この構成においては、あぶらとり紙を構成する紙が、抄紙前の原料の段階で弱酸性に調製される。したがって、抄紙後に表面への薬剤の塗布等の工程が不要になる。
【発明の効果】
【００１３】
上記の構成により、この発明によれば以下の効果を奏することができる。
【００１４】
（１）人間の皮膚の状態に近い弱酸性の紙を皮膚に接触させて皮膚から皮脂を除去する処理が行われるため、皮膚に過剰な刺激を与えることがなく、アレルギ症状を発症することを防止できる。また、あぶらとり紙の使用後に皮膚に皮脂が残留しても、雑菌の増殖し易い弱アルカリ性の状態になり難く、ニキビ等の皮膚病の発生を防止できる。
【００１５】
（２）抄紙後に表面への薬剤の塗布等の工程を行う必要がなく、容易に製造することができる。また、紙の表面だけでなく全体が弱酸性になり、長期間にわたって安定して弱酸性の状態を保つことができる。
【発明を実施するための最良の形態】
【００１６】
図１は、この発明の実施形態に係るあぶらとり紙の製造工程を説明する流れ図である。この発明の実施形態に係るあぶらとり紙は、顔面等の皮膚から皮脂を除去する目的で使用されることを考慮して、安全性が高く、刺激性が低く、及び、吸脂性が高い原料を、紙化工程、抄紙工程及び断裁工程を経て製造される。
【００１７】
紙化工程では、まず、リファイナーを用いた叩解処理により、パルプ繊維を水の存在下で繊維を離解して適当な長さに揃え、皮脂を除去する際に皮膚に接触することを考慮して、充分な強度と表面の滑らかさを得られる状態にされる。
【００１８】
次いで、ｐＨ５〜ｐＨ６となるように、薬品が添加される。ここでは耐水性を得るために使用されるロジンの定着剤である硫酸バンドが、強酸性物質であることから、その添加量を調整するか、又は、中性サイズ剤を併用することにより、ｐＨ５〜ｐＨ６の弱酸性の紙料を作成する。
【００１９】
抄紙工程では、一般的な抄紙機を用い、紙化工程で得られた紙料を０．５／１％程度の濃度の水溶液としてストックインレットからワイヤーパートに噴出し、２０％程度の紙料濃度にされる。さらに、プレスロールとフェルトとの間で圧搾及び脱水されて４０〜４７％程度の紙料濃度にされた後、ドライヤパートで乾燥されて９０〜９５％程度の紙料濃度にされ、カレンダによって表面を平滑にされる。
【００２０】
断裁工程では、抄紙工程で作成された紙が、皮脂の除去に適した所定の大きさ及び形状に裁断され、あぶらとり紙が得られる。
【００２１】
上記のようにして作成されたあぶらとり紙は、人間の皮膚の酸性度に近い状態となるため、皮脂を除去する際に皮膚に接触しても皮膚に過度の刺激を与えることがなく、アレルギ症状を発症することを防止できる。
【００２２】
また、中性紙又は弱アルカリ性紙のあぶらとり紙を用いた場合のように、あぶらとり紙に接触した後に皮膚に残留した皮脂が容易に弱アルカリ性に変質して皮膚上に雑菌の増殖を招く環境が作られてしまうといったことがなく、ニキビ等の皮膚病の発生を予防することができる。
【００２３】
さらに、上記のように、この発明のあぶらとり紙は、抄紙工程の前における紙料の作成段階で弱酸性に調製されるため、抄紙工程後における薬剤塗布等の表面処理工程を省いて製造工程を簡略化できるだけでなく、抄紙工程後に表面に対する薬剤の塗布等によって酸性度を調整する場合のように表面部分と内部との酸性度が異なるといったことがなく、全体的に均一に弱酸性に構成することができる。このため、長期間にわたって弱酸性状態を維持することができる。
【図面の簡単な説明】
【００２４】
【図１】この発明の実施形態に係るあぶらとり紙の製造工程を説明する流れ図である。
【図１】
2006025849.tif 000003
(57)【要約】【課題】  本来の岩盤浴を家庭的にも或は施設用として身近な場所で浴することができる岩盤浴装置を提供することにある。【解決手段】  この岩盤浴用ベッドＡは、熱源部２と、熱源部２によって収容した蒸気水３が加熱される蒸気熱発生部４と、蒸気熱発生部４で発生する蒸気熱を熱伝導する多孔質岩盤５とから成る。このほか、多孔質岩盤５にツボ刺激手段として凸部１２や凹部１３を設けたものも提供される。【選択図】  図１
2006025859.tif 000002
【特許請求の範囲】
【請求項１】
熱源部と、該熱源部によって加熱される蒸気熱発生部と、該蒸気熱発生部で発生する蒸気熱を熱伝導する多孔質岩盤とから成る岩盤浴装置。
【請求項２】
前記多孔質岩盤にツボ刺激手段が配設されて成る請求項１記載の岩盤浴装置。
【発明の詳細な説明】
【技術分野】
【０００１】
ここにいう岩盤浴とは、温泉地で蒸気の噴き出る岩盤に伏して患部に噴気を当てる蒸気浴をいうものとし、本発明はこの岩盤浴の働きと同じ働きを家庭で得られるようにした装置に関する。
【背景技術】
【０００２】
岩盤浴に関する技術として、特開２００４−１３００４７号公報（トルマリン鉱石を利用した岩盤浴用ベッド及び椅子）が開示されている。その技術は、床暖房でトルマリン鉱石を暖めることにより、該鉱石から発生するマイナスイオン、遠赤外線効果を活用しているが、温泉熱の蒸気による岩盤浴ではない。また、トルマリン鉱石をモルタル等で固めた岩盤は平坦であるから、ツボ刺激の効果は期待されないものである。
【特許文献１】特開２００４―１３００４７号公報
【発明の開示】
【発明が解決しようとする課題】
【０００３】
本発明は本来の岩盤浴を家庭や施設等身近な場所で浴することができる岩盤浴装置の提供を目的とする。
【課題を解決するための手段】
【０００４】
請求項１に記載した岩盤浴装置は、熱源部と、該熱源部によって加熱される蒸気熱発生部と、該蒸気熱発生部で発生する蒸気熱を熱伝導する多孔質岩盤とから成る。
請求項２に記載した岩盤浴装置は、請求項１の岩盤浴装置の前記多孔質岩盤にツボ刺激手段が配設されて成る。
【発明の効果】
【０００５】
請求項１に記載した岩盤浴装置によれば、多孔質岩盤から噴き出る蒸気によってその上に横たわる体或は患部が温泉場の岩盤浴と同様に温められ、その蒸気は蒸気熱発生部に収容された温泉水や鉱泉水を加熱したものであるため、それ等に含まれるミネラルや薬効成分による温熱治療効果や温泉場の入浴気分すなわち心理的治療効果を与える。また、請求項２の岩盤浴装置では、ツボ刺激手段によって寝ながらにして体の各所のツボが押圧されて一層の治療効果がある。
【発明を実施するための最良の形態】
【０００６】
本発明の岩盤浴装置に用いられる多孔質岩盤は、蒸気の流通する物資による多孔質成形体や火力発電所から排出される石炭灰の焼成体などであり、その形態は家庭的なものではバスタブの上面に嵌入載置されるものや、リハビリ施設などの大部屋に敷設されるものなどであり、その場合の蒸気は前者ではバスタブの上面から多孔質岩盤を介して立ち上がる湯気であり、後者ではボイラーから所要の配管を介して供給されるものであるが、熱源に電熱器を用いることもできる。ツボ刺激手段は多孔質岩盤の表面に直接形成される凸部や凹部であったり、多孔質岩盤の表面に添設される多孔質マットに形成される凸部や凹部などである。
【実施例】
【０００７】
本発明岩盤浴装置Ａの実施例は図１に示すように、ガスバーナー１による熱源部２と、熱源部２によって収容される温泉水や鉱泉水（以下、蒸発水３とする。）が加熱される蒸気熱発生部４と、蒸気熱発生部４で発生する蒸気熱を熱伝導する多孔質岩盤５とから成る。ガスバーナー１にはコック６で開閉されるガス管７からガスが供給され、排気ガスは排気管８より放出される。蒸気熱発生部４にはドレーンコック９によって開閉される排水管１０とコック６で開閉される給水管１１が配設され、図外の空焚き防止装置によってガスバーナー１が制御され、給水管１１から給水される蒸発水３はガスバーナー１で加熱され、その蒸気は多孔質岩盤５全面の通孔から湯気となって放出される。多孔質岩盤５の表面にはツボ刺激手段として凸部１２や凹部１３が配設されるため、その上に体を休め或は患部を当てると、温泉場の岩盤浴と同様の効果が得られる。人体のつぼを当てるとより一層の効果が得られる。
【０００８】
このほか、多孔質岩盤５を一般のバスタブ（図外）に嵌入載置できる形態にすれば簡単に家庭内で岩盤浴に浴することができる。また、図２に示すように、上面に凸部１２と凹部１３が形成された多孔質マット１４を多孔質岩盤５の表面に取り換え自在に嵌着すると清潔感が得られ衛生が保全できる。
【産業上の利用可能性】
【０００９】
温泉場であっても入浴時間に限度があり局部的な患部を前記時間を超えて温浴することは困難である。本発明では時間の限度なく局部的患部に直接蒸気浴できるので、老人福祉面にも利用できる。
【図面の簡単な説明】
【００１０】
【図１】本発明の岩盤浴装置Ａの説明図。
【図２】多孔質岩盤におけるツボ刺激手段の他の実施態様を示す縦断面図。
【符号の説明】
【００１１】
１：ガスバーナー
２：熱源部
３：蒸発水
４：蒸気熱発生部
５：多孔質岩盤
６：コック
７：ガス管
８：排気管
９：ドレーンコック
１０：排水管
１１：給水管
１２：凸部
１３：凹部
１４：多孔質マット
Ａ：岩盤浴装置
【図１】
2006025859.tif 000003
【図２】
2006025859.tif 000004
(57)【要約】【課題】遊技機において、コマンドの一方向通信は、中継基板を目視しても確認することができず、依然として、不正改造が絶えないという問題があった。【解決手段】  主制御基板１は遊技の進行を制御し、副制御基板３は、主制御基板からのコマンドに基づいて遊技に関連する所定の構成部を制御する。  中継基板２は、前記主制御基板と副制御基板との間にあって、コマンドを中継するだけでなく、、電流方向規制手段が配置されて、コマンドを顕在化する電気信号の電流方向を一方向に規制する極性をものである。【選択図】図１
2006025886.tif 000002
【特許請求の範囲】
【請求項１】
遊技の進行を制御する主制御基板と、該主制御基板からのコマンドに基づいて遊技に関連する所定の構成部を制御する副制御基板とを備えた遊技機において、
前記主制御基板と副制御基板との間に、電流方向規制手段を配置した中継基板を設け、該電流方向規制手段は、前記コマンドを顕在化する電気信号の電流方向の不可逆性を目視により担保出来るものであることを特徴とする遊技機。
【請求項２】
電流方向規制手段が、複数のスイッチングダイオードを並行に配置すると共に、スイッチングダイオードの極性を示すマークが一方に揃っていることを特徴とする請求項１記載の遊技機。
【請求項３】
電流方向規制手段が、コマンドの方向と電流の方向とを一致させるものであることを特徴とする請求項２記載の遊技機。
【請求項４】
電流方向規制手段が、フォトカプラ−であることを特徴とする請求項１記載の遊技機。
【請求項５】
電流方向規制手段が、フォトモスであることを特徴とする請求項１記載の遊技機。
【発明の詳細な説明】
【技術分野】
【０００１】
本発明は、遊技の進行を制御する主制御基板から副制御基板へのコマンドを中継する中継基板に関する。
【背景技術】
【０００２】
従来、遊技の進行を制御する主制御基板から副制御基板へのコマンドは、一方向通信に限定すること、及び中継基板を使用することにより、遊技機から賭博機への不正改造を発見しやすく、困難にすることにより、不正改造を防止していた。
【特許文献１】特開２００４−１４１６８２号公報
【発明の開示】
【発明が解決しようとする課題】
【０００３】
しかしながら、コマンドの一方向通信は、中継基板を目視しても確認することができず、依然として、不正改造が絶えないという問題があった。
本発明は、上記した問題を前提に、目視するだけで、コマンドの一方向通信を確認することができる遊技機を提供することを目的とする。
【課題を解決するための手段】
【０００４】
上記した課題を解決するため、本発明の遊技機は、
遊技の進行を制御する主制御基板と、該主制御基板からのコマンドに基づいて遊技に関連する所定の構成部を制御する副制御基板とを備えた遊技機において、
前記主制御基板と副制御基板との間に、電流方向規制手段を配置した中継基板を設け、該電流方向規制手段は、前記コマンドを顕在化する電気信号の電流方向の不可逆性を目視により担保出来るものであることを特徴とする。
【０００５】
また、本発明の遊技機は
電流方向規制手段が、複数のスイッチングダイオードを並行に配置すると共に、スイッチングダイオードの極性を示すマークが一方に揃っていることを特徴とする。
【０００６】
また、本発明の遊技機は、
電流方向規制手段が、コマンドの方向と電流の方向とを一致させるものであることを特徴とする。
【０００７】
また、本発明の遊技機は、
電流方向規制手段が、フォトカプラ−であることを特徴とする。
【０００８】
また、本発明の遊技機は、
電流方向規制手段が、フォトモスであることを特徴とする。
【発明の効果】
【０００９】
したがって、本発明の遊技機は、目視するだけで、コマンドの一方向通信を確認することができるため、遊技機の不正改造の防止に役立てることができる。
【発明を実施するための最良の形態】
【００１０】
図１は、遊技機の構成を示すブロック図である。
図１において、主制御基板１は遊技の進行を制御し、副制御基板３は、主制御基板からのコマンドに基づいて遊技に関連する所定の構成部を制御する。
中継基板２は、前記主制御基板と副制御基板との間にあって、コマンドを中継するだけでなく、、電流方向規制手段が配置されて、コマンドを顕在化する電気信号の電流方向を一方向に規制する極性をものである。
【００１１】
図２は、本発明の構成を示す回路図である。
図２（１）、および図２（２）は、主制御基板１から副制御基板３の方向へ、コマンドの電流方向を規制するため、中継基板２上の主制御基板１と副制御基板３との接続線にダイオード５、８を設けて、電流方向を規制した例である。
【００１２】
図２（１）では、主制御基板１の出力トランジスタ４がオンすると、主制御基板１から副制御基板３の方向に、中継基板２のダイオード５を介して電流が流れる。そして、副制御基板３の入力トランジスタ６がオンする。
このとき、中継基板２のダイオード５により電流方向が規制される。
【００１３】
図２（２）では、主制御基板１の出力トランジスタ７がオフすると、主制御基板１から副制御基板３の方向に、中継基板２のダイオード８を介して電流が流れる。そして、副制御基板３の入力トランジスタ９がオンする。
このとき、中継基板２のダイオード８により電流方向が規制される。
【００１４】
また、図２（３）は、主制御基板１から副制御基板３の方向へ、コマンドの伝達方向を規制するため、中継基板２上の主制御基板１と副制御基板３との接続線にフォトカプラ１１を設けて、伝達方向を規制した例である。
電流方向の規制には、直接的ではなく間接的な方法も広く含まれる。また、フォトカプラにかえてフォトモスでも同様の効果がある。
【００１５】
図２（３）では、主制御基板１の出力トランジスタ１０がオンすると、主制御基板１から中継基板２の方向に電流が流れる。その電流がフォトカプラ１１に流れるとフォトカプラ接続されて、中継基板２から副制御基板３の方向に電流が流れる。そして、副制御基板３の入力トランジスタ１２がオフする。
このとき、中継基板２のフォトカプラ１１により伝達方向が規制される。
【００１６】
なお、図示してないが、副制御基板３を下に、主制御基板１を上に、二段重ねにした場合には、下側の副制御基板３の側端に中継基板２を突設して、上側の主制御基板１の側端から見えるようにし、さらに、中継基板２に設けた主制御基板１用のコネクタと、副制御基板３用のコネクタとの間に、複数のスイッチングダイオードを並行に配置すると共に、スイッチングダイオードの極性を示すマークが一方に揃っているのが、主制御基板１から視認出来るようにするとよい。
(土川晃司、高橋武則、田中一成、柘植浩志、中村昌則、奥村尚之、足立秀俊、飯沼好広、堀井渉、秋山大)
【図面の簡単な説明】
【００１７】
【図１】本実施の形態である遊技機の構成を示すブロック図。
【図２】本実施の形態である本発明の構成を示す回路図。
【符号の説明】
【００１８】
１  主制御基板
２  中継基板
３  副制御基板
４  出力トランジスタ
５  ダイオード
６  入力トランジスタ
１１  フォトカプラ
【図１】
2006025886.tif 000003
【図２】
2006025886.tif 000004
(57)【要約】【課題】  従来は花の苗やアレンジメントをそのままの商品形態で販売していて、プレゼントや送別会での用途には花束より劣っていた。それらをこの容器を使えばさまざまな用途に使える用になり、また花束の花瓶がいり、ラッピングを取らなくてはならない不便さを解決した便利な容器を提供する。【解決手段】  円錐状の容器（１）に花の苗やアレンジメントや花束を入れ、販売することを特徴とする。【選択図】  図7
2006025891.tif 000002
【特許請求の範囲】
【請求項１】
花の鉢(苗など)や切花を吸水性スポンジに挿したもの（アレンジメント）や花束
を入れる花関連の多機能な容器。
【請求項２】
その容器を使った販売方法。
【発明の詳細な説明】
【技術分野】
【０００１】
この発明は、さまざまな形態の花の販売方法を変える多機能な容器に関する
ものである。
【背景技術】
【０００２】
従来、花のポット苗やアレンジメントを販売する場合、そのままの商品形態
で販売していて不便な側面が多かった。また花束はもちかえってから花瓶に
入れなおさなくてはいけなく面倒だった。
【発明の開示】
【発明が解決しようとする課題】
【０００３】
これは次のような問題点があった。
花の苗などをプレゼントにするとき、ラッピングしてもあまりかわいくなく、
安っぽくて、プレゼントとしては不向き。アレンジメントは送別会などでプレ
ゼントとして渡すとき、華やかではなく花束が主流だった。また花束は貰って
も、家に花瓶がなければコップなどを代用にして使い、ラッピング用紙などを
取らなくてはならないので面倒だった。
本発明は、以上のような欠点をなくすためになされたものである。
【課題を解決するための手段】
【０００４】
円錐状容器の円の方を上にして花の苗やアレンジメントを上から入れて販売
する。花束の場合、花束を作る時にこの器に花束を上から入れた後ラッピング
する。どの場合にも専用の台に円錐の尖った方を差し込めばそのまま飾れる。
本発明は、このような構成の器である。
【発明の効果】
【０００５】
花のポット苗やアレンジメントは器に入れてラッピングすると花束のようになり、
かわいらしく、高価に見え、送別会などで渡しても通常の花束のように華やかな
プレゼントになる。また、花束は持ち帰って専用の台に差し込めば、そのまま家
に飾れて，ラッピング用紙を取る手間や花瓶が要らなくてすむ。もちろん花のポッ
ト苗やアレンジメントも同様でそのまま飾れる。他にも、仏壇の花やお墓の花も
そのまま飾れて、専用台にメッセージカードをつけて置いておくことも出来る。
【発明を実施するための最良の形態】
【０００６】
以下、本発明の実施例について説明する。
円錐状の容器の中は空洞にし（２）の部分がはずれるようにする。また、（３）
と（４）の部分は少し中に突出させ、（２）の部分をはずせばここに花の苗やアレ
ンジメントのための吸水性スポンジを入れられる。その状態で容器の周りをラッピ
ング用紙などで包めばいい。花束の場合は、そのまま円錐の容器の上から挿しこみ、
ラッピングすればいい。どの場合でも専用の台に器の先端を差し込めばそのまま置
いておけ、水も上から注げる。もし、花の苗などの土が横にしてこぼれる場合は
（３）と花の苗の間にゴム状のものを挟めばこぼれる心配はない。また、容器に
壁掛け用の金具を付ければ壁にかけても飾れる。
【図面の簡単な説明】
【０００７】
【図１】本発明の側面図である
【図２】図１のａ線の側面図である
【図３】本発明の上から見た平面図である
【図４】本発明の専用台の側面図である
【図５】図４の上から見た平面図である
【図６】本発明の専用台を取り付けた平面図である
【図７】本発明の様々な用途別の本体に挿し込んだ状態の側面図である
【図８】本発明の実施例である
【符号の説明】
【０００８】
１は本体
２は取り外し可能部分  
３は上部（鉢又は吸水性スポンジ）止め
４は下部（鉢又は吸水性スポンジ）止め
５は専用台
６はカード立て突出部
７は本体と専用台の接合部
８は吸水性スポンジ
９は切花
１０は花束
１１は和紙（ラッピング）
１２はリボン
１３はメッセージカード
１４は壁掛け用金具
【図１】
2006025891.tif 000003
【図２】
2006025891.tif 000004
【図３】
2006025891.tif 000005
【図４】
2006025891.tif 000006
【図５】
2006025891.tif 000007
【図６】
2006025891.tif 000008
【図７】
2006025891.tif 000009
【図８】
2006025891.tif 000010
(57)【要約】【課題】タオル、手ぬぐい等をハンガーに掛ける際に、幅方向に延ばして掛ける動作がわずらわしくシワクチャの状態で掛けられることがしばしば見られる。そのためタオルは乾燥しにくく梅雨時では嫌な臭いも発生し衛生的でない。又次に使用する人も気分は良くない。これらの問題を解決する手段を提案する。【解決手段】前記問題の解決法として、ハンガーのタオルを掛ける水平棒の中央部を約２５ｃｍ切り取り、残った水平部の一部にタオルの幅方向の滑り止めを設けたハンガーが有効である。【選択図】図３
2006025952.tif 000002
【特許請求の範囲】
【請求項１】
タオル、手ぬぐい等を掛けるハンガーであって、タオルを掛ける水平棒の中央部が前記タオルの幅以下の長さだけ無いことを特徴としてハンガー。
【請求項２】
水平棒の一部にタオルの幅方向の力に対してスベリ止め機能を有する滑り止めを設けたことを特徴とする請求項１に記載のハンガー。
【発明の詳細な説明】
【技術分野】
【０００１】
本発明はタオル、手ぬぐい等を掛けるハンガーにおいて、掛けたタオル、手ぬぐい等がシワに成りにくい形状のハンガーを提案する。
【背景技術】
【０００２】
濡れたタオル、手ぬぐい等をハンガーに掛ける際に、シワを延ばさずに掛ける場合がしばしば見られる。
このこのように掛けられたタオルは乾き難く、梅雨時には嫌な臭いが発生し易くなり衛生的でない。
又次に使用する人にとってもシワクチャになっていると気分が良いものではない。
本発明はこれらの問題を解消すべく、常にタオルが幅方向に延ばされた状態を維持することが出来るハンガーの形状を提案する。
【特許文献１】特開２０００−１８９６９５号
【発明の開示】
【発明が解決しようとする課題】
【０００３】
濡れたタオル等をハンガーに掛ける場合、タオルを幅方向に広げて掛ける動作がわずらわしく、そのままハンガーの水平棒に掛けてしまう事がタオルがシワクチャとなってしまう理由である。
従ってタオルを掛けようした場合、必ずタオルを広げて掛ける動作をしなければ成らないハンガーの構造にしてやればこの問題は解決できる。
【課題を解決するための手段】
【０００４】
上記の問題を解決する手段として、現状のハンガーの水平棒の中央部を約２５ｃｍ無くし、残った水平部の一部にタオルの幅方向の力に対して滑り止めとなる機能を付けたハンガーが有効であることが確認されたのでここに提案する。
【発明を実施するための最良の形態】
【０００５】
以下に現状の詳細を述べる。
図１は現況のハンガーにタオルがシワクチャの状態で掛けられた状態示す。
１は現状の一般的なハンガーを示す。２はタオルを示す。
【０００６】
次に本発明によるハンガーの詳細を示す。
図２は本考案によるハンガーの構造を示す。
３はハンガー本体である。３に示すように水平棒の中央部の約２５ｃｍが無い構造が特徴である。なお平均的なタオルの幅は約３０cmのため２５ｃｍとしたのでそれほど厳密な必要は無い。
またハンガー本体の材質は形状が復元出来る弾力性のある材質、又は復元機能を有してもよい。特に限定するものではないが実施例では弾力性があり安価で加工し易い塩ビ材を用いた。
４、５はタオルが幅方向に滑らない為の滑り止めであり、本実施例ではノコギリ状とした。この滑り止めの形状は特に限定するものではく、タオルが損傷しない構造で幅方向に滑らなければどのような形状でもよい。
【０００７】
図３は本発明のハンガーにタオルを掛けた状態を示す。
３はハンガー本体である。６はタオルである。この６のタオルを３のハンガーに掛けるには、最初４（又は５）の滑り止めにタオルの端を掛け、次にタオルを広げて５（又は４）の滑り止めに掛ける動作が必要となる。従ってタオルは常に幅方向に延びた状態でハンガーに掛けられることになり、乾燥も速く、衛生的である、又次に使用する場合も気持ちよく使用できる。
【図面の簡単な説明】
【０００８】
【図１】現状のハンガーにタオルを掛けた状態
【図２】本発明のハンガーの形状
【図３】本発明のハンガーにタオルを掛けた状態
【符号の説明】
【０００９】
１    現状のハンガーの形状
２    タオル
３    本発明のハンガー本体
４    タオルの幅方向の滑り止め
５    タオルの幅方向の滑り止め
６    タオル
【図１】
2006025952.tif 000003
【図２】
2006025952.tif 000004
【図３】
2006025952.tif 000005